(57)【要約】【課題】使用する位置（高さ）などによって操作ボタンが押しにくい場合にも、容易に操作することが可能な携帯型電子機器を提供する。【解決手段】この携帯型電子機器（ＩＣレコーダ１）は、録音を開始する機能を有する録音ボタン３と、録音ボタン３と異なる面に設けられ、録音ボタン３と同じ機能を有する副録音ボタン６と、録音ボタン３または副録音ボタン６のいずれか一方を有効にするように切り替えるための切替ボタン７と、切替ボタン７による録音ボタン３と副録音ボタン６との切替状態が表示される液晶表示部４とを備える。切替ボタン７は、副録音ボタン６と同じ面の副録音ボタン６の近傍に設けられる。【選択図】図１
2008076420.tif 000002
【特許請求の範囲】
【請求項１】
所定の機能を有する操作ボタンを備えた携帯型電子機器において、
前記操作ボタンは、
所定の機能を有する主操作ボタンと、
前記主操作ボタンと異なる面に設けられ、前記主操作ボタンと同じ機能を有する副操作ボタンとを含み、
前記主操作ボタンまたは前記副操作ボタンのいずれか一方を有効にするように切り替えるための切替ボタンと、
前記切替ボタンによる前記主操作ボタンと前記副操作ボタンとの切替状態が表示される表示画面とをさらに備え、
前記切替ボタンは、前記副操作ボタンと同じ面の前記副操作ボタンの近傍に設けられており、
前記主操作ボタンおよび前記副操作ボタンは、それぞれ、主録音ボタンおよび副録音ボタンを含む、携帯型電子機器。
【請求項２】
所定の機能を有する主操作ボタンと、
前記主操作ボタンと異なる面に設けられ、前記主操作ボタンと同じ機能を有する副操作ボタンと、
前記主操作ボタンまたは前記副操作ボタンのいずれか一方を有効にするように切り替えるための切替ボタンとを備えた、携帯型電子機器。
【請求項３】
前記切替ボタンは、前記副操作ボタンと同じ面の前記副操作ボタンの近傍に設けられている、請求項２に記載の携帯型電子機器。
【請求項４】
前記主操作ボタンおよび前記副操作ボタンは、それぞれ、主録音ボタンおよび副録音ボタンを含む、請求項２または３に記載の携帯型電子機器。
【請求項５】
前記切替ボタンによる前記主操作ボタンと前記副操作ボタンとの切替状態が表示される表示画面をさらに備える、請求項２〜４のいずれか１項に記載の携帯型電子機器。
【発明の詳細な説明】
【技術分野】
【０００１】
この発明は、携帯型電子機器に関し、特に、所定の機能を有する操作ボタンを備えた携帯型電子機器に関する。
【背景技術】
【０００２】
従来、シャッターボタン（操作ボタン）を備えたカメラ（携帯型電子機器）が知られている（たとえば、特許文献１参照）。
【０００３】
上記特許文献１に記載のカメラは、互いに回動可能な撮像部とグリップ部とを備えており、直線状またはＬ字状に変形可能に形成されている。また、撮像部には、シャッターボタン（操作ボタン）が設けられている。この特許文献１では、撮像部のシャッターボタン（操作ボタン）を押すことにより、画像が撮影される。
【０００４】
【特許文献１】特開２００１−２６８４１１号公報
【発明の開示】
【発明が解決しようとする課題】
【０００５】
しかしながら、上記特許文献１に記載のカメラ（携帯型電子機器）では、たとえば、カメラ（携帯型電子機器）の位置を高くして撮影する場合、ユーザがシャッターボタン（操作ボタン）を押しにくくなり、シャッター操作が困難であるという問題点がある。
【０００６】
この発明は、上記のような課題を解決するためになされたものであり、この発明の１つの目的は、使用する位置（高さ）などによって操作ボタンを押しにくい場合にも、容易に操作することが可能な携帯型電子機器を提供することである。
【課題を解決するための手段および発明の効果】
【０００７】
この発明の第１の局面による携帯型電子機器は、所定の機能を有する操作ボタンを備えた携帯型電子機器において、操作ボタンは、所定の機能を有する主操作ボタンと、主操作ボタンと異なる面に設けられ、主操作ボタンと同じ機能を有する副操作ボタンとを含み、主操作ボタンまたは副操作ボタンのいずれか一方を有効にするように切り替えるための切替ボタンと、切替ボタンによる主操作ボタンと副操作ボタンとの切替状態が表示される表示画面とをさらに備え、切替ボタンは、副操作ボタンと同じ面の副操作ボタンの近傍に設けられており、主操作ボタンおよび副操作ボタンは、それぞれ、主録音ボタンおよび副録音ボタンを含む。
【０００８】
この発明の第１の局面による携帯型電子機器では、上記のように、主操作ボタンと異なる面に副操作ボタンを設けることによって、たとえば、携帯型電子機器の位置を高くして使用する際に、主操作ボタンでは操作しにくい場合でも、主操作ボタンと異なる面に設けた副操作ボタンによって容易に操作することができる。また、主操作ボタンまたは副操作ボタンのいずれか一方を有効にするように切り替えるための切替ボタンを設けることによって、使用態様に応じて、使い易い方のボタンに切り換えることができる。これにより、利便性を向上させることができる。また、切替ボタンを、副操作ボタンと同じ面の副操作ボタンの近傍に設けることによって、前もって切替ボタンの操作をすることなく、副操作ボタンを使用する際に切替ボタンを操作することができるので、操作性を向上させることができる。
【０００９】
また、第１の局面による携帯型電子機器では、上記のように、主操作ボタンおよび副操作ボタンを、それぞれ、主録音ボタンおよび副録音ボタンを含めるように構成することによって、主録音ボタンを操作しにくい場合においても、副録音ボタンにより、容易に、録音または撮影を行うことができる。また、切替ボタンによる主操作ボタンと副操作ボタンとの切替状態が表示される表示画面をさらに備えることによって、表示画面により主操作ボタンと副操作ボタンとの切替状態を確認することができるので、主操作ボタンと副操作ボタンとの押し間違いを抑制することができる。
【００１０】
この発明の第２の局面による携帯型電子機器では、所定の機能を有する主操作ボタンと、主操作ボタンと異なる面に設けられ、主操作ボタンと同じ機能を有する副操作ボタンと、主操作ボタンまたは副操作ボタンのいずれか一方を有効にするように切り替えるための切替ボタンとを備えている。
【００１１】
この第２の局面による携帯型電子機器では、上記のように、主操作ボタンと異なる面に副操作ボタンを設けることによって、たとえば、携帯型電子機器の位置を高くして使用する際に、主操作ボタンでは操作しにくい場合でも、主操作ボタンと異なる面に設けた副操作ボタンによって容易に操作することができる。また、主操作ボタンまたは副操作ボタンのいずれか一方を有効にするように切り替えるための切替ボタンを設けることによって、使用態様に応じて、使い易い方のボタンに切り換えることができる。これにより、利便性を向上させることができる。
【００１２】
上記第２の局面による携帯型電子機器において、好ましくは、切替ボタンは、副操作ボタンと同じ面の副操作ボタンの近傍に設けられている。このように構成すれば、前もって切替ボタンの操作をすることなく、副操作ボタンを使用する際に切替ボタンを操作することができるので、操作性を向上させることができる。
【００１３】
上記第２の局面による携帯型電子機器において、好ましくは、主操作ボタンおよび副操作ボタンは、それぞれ、主録音ボタンおよび副録音ボタンを含む。このように構成すれば、主録音ボタンを操作しにくい場合においても、副録音ボタンにより、容易に、録音または撮影を行うことができる。
【００１４】
上記第２の局面による携帯型電子機器において、好ましくは、切替ボタンによる主操作ボタンと副操作ボタンとの切替状態が表示される表示画面をさらに備える。このように構成すれば、表示画面により主操作ボタンと副操作ボタンとの切替状態を確認することができるので、主操作ボタンと副操作ボタンとの押し間違いを抑制することができる。
【発明を実施するための最良の形態】
【００１５】
以下、本発明を具体化した実施形態を図面に基づいて説明する。
【００１６】
図１および図２は、本発明の一実施形態によるＩＣレコーダの全体構成を示す斜視図である。まず、図１および図２を参照して、本発明の一実施形態によるＩＣレコーダ１の構造を説明する。なお、本実施形態では、携帯型電子機器の一例であるＩＣレコーダ１に本発明を適用した場合について説明する。
【００１７】
本実施形態によるＩＣレコーダ１は、図１および図２に示すように、レコーダ本体２と、レコーダ本体２の主面２ａに設けられる録音ボタン３、液晶表示部４および一対のマイク部５とを備える。なお、録音ボタン３は、本発明の「主操作ボタン」または「主録音ボタン」の一例である。また、液晶表示部４は、本発明の「表示画面」の一例である。
【００１８】
このＩＣレコーダ１は、録音ボタン３を押すことにより録音が開始されるように構成されている。この録音ボタン３は、レコーダ本体２の主面２ａの中央部近傍に設けられている。また、液晶表示部４は、録音時間、電池残量などを表示する機能を有する。この液晶表示部４は、録音ボタン３のマイク部５側に設けられている。また、一対のマイク部５は、録音する音を集める機能を有し、レコーダ本体２の主面２ａの一方端部に設けられている。
【００１９】
ここで、本実施形態では、レコーダ本体２の主面２ａに隣接する側面２ｂに、副録音ボタン６と切替ボタン７とが設けられている。副録音ボタン６は、録音ボタン３と同様に、押されることにより録音を開始する機能を有する。また、切替ボタン７は、録音ボタン３または副録音ボタン６のいずれか一方を有効にするように切り替えるために設けられている。なお、副録音ボタン６は、本発明の「副操作ボタン」の一例である。
【００２０】
また、切替ボタン７および副録音ボタン６は、レコーダ本体２の側面２ｂのマイク部５とは反対側の端部に設けられ、切替ボタン７は、副録音ボタン６の近傍に配置されている。また、副録音ボタン６とマイク部５との間隔が、録音ボタン３とマイク部５との間隔よりも大きくなるように副録音ボタン６は配置されている。これにより、副録音ボタン６により録音操作を行う場合には、マイク部５をより遠くに位置させた状態で録音操作を行うことが可能である。
【００２１】
また、本実施形態では、液晶表示部４は、切替ボタン７による録音ボタン３と副録音ボタン６との切替状態を表示するように構成されている。図１に示すように、録音ボタン３が有効な場合は、液晶表示部４に表示が行われず、副録音ボタン６が有効な場合は、図２に示すように、液晶表示部４に表示４ａ（本実施形態では、黒丸印）が行われる。
【００２２】
本実施形態では、上記のように、録音ボタン３が設けられた主面２ａとは異なる側面２ｂに副録音ボタン６を設けることによって、たとえば、ＩＣレコーダ１の位置を高くして使用する際に、録音ボタン３では操作しにくい場合でも、副録音ボタン６によって録音を行うことができる。また、録音ボタン３または副録音ボタン６のいずれか一方を有効にするように切り替えるための切替ボタン７を設けることによって、使用態様に応じて、使い易い方のボタンに切り換えることができる。これにより、利便性を向上させることができる。
【００２３】
また、本実施形態では、上記のように、切替ボタン７を、副録音ボタン６と同じ側面２ｂの副録音ボタン６の近傍に設けることによって、前もって切替ボタン７の操作をすることなく、副録音ボタン６を使用する際に切替ボタン７を操作することができるので、操作性を向上させることができる。
【００２４】
また、本実施形態では、上記のように、切替ボタン７による録音ボタン３と副録音ボタン６との切替状態が表示される液晶表示部４を備えることによって、液晶表示部４により録音ボタン３と副録音ボタン６との切替状態を確認することができるので、録音ボタン３と副録音ボタン６との押し間違いを抑制することができる。
【００２５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００２６】
たとえば、上記実施形態では、それぞれ、本発明を携帯型電子機器の一例であるＩＣレコーダに適用した例を示したが、本発明はこれに限らず、ＭＤ録音機、ビデオカメラなどの他の携帯型電子機器にも適用可能である。
【００２７】
また、上記実施形態では、本発明の表示画面の一例として、液晶表示部を示したが、本発明はこれに限らず、有機ＥＬディスプレイなどの表示画面でもよい。
【図面の簡単な説明】
【００２８】
【図１】本発明の一実施形態によるＩＣレコーダの全体構成を示す斜視図である。
【図２】本発明の一実施形態によるＩＣレコーダの全体構成を示す斜視図である。
【符号の説明】
【００２９】
１          ＩＣレコーダ（携帯型電子機器）
３          録音ボタン（主操作ボタン、主録音ボタン）
４          液晶表示部（表示画面）
６          副録音ボタン（副操作ボタン）
７          切替ボタン
【図１】
2008076420.tif 000003
【図２】
2008076420.tif 000004